(57)【要約】【目的】地上波ディジタル放送の導入に伴い地上波アナログ放送のチャンネルに変更が生じた場合でも、変更先のチャンネルをポジション番号に容易に設定することができる放送受信装置を提供する。【構成】チャンネルサーチにより取得した有局チャンネル情報と、有局チャンネル及びポジション番号からなる対応表を第２メモリ２２に保存する。サブＣＰＵ２１は、前回（アナ−アナ変換前）及び今回（アナ−アナ変換後）の有局チャンネル情報の対比情報と前記対応表とに基づき、消失したチャンネル及び新たな有局チャンネルを判定して対応情報を更新記憶する。【選択図】　　　　　　　図１
2004015076.tif 000002
【特許請求の範囲】
【請求項１】
チャンネルサーチを実行して有局チャンネル情報を記憶する手段と、チャンネルとポジション番号との対応情報を記憶する手段と、前回及び今回の有局チャンネル情報の対比情報と前記対応情報とに基づき消失したチャンネル及び新たな有局チャンネルを判定する手段と、前記判定結果に基づいて又はユーザ指示により対応情報を更新記憶する手段と、を備えたことを特徴とする放送受信装置。
【請求項２】
請求項１に記載の放送受信装置において、新たな有局チャンネルを複数検出した場合、ユーザの指示に基づき、前記複数の有局チャンネルをそれぞれ入れ替えて前記対応情報を更新記憶するように構成したことを特徴とする放送受信装置。
【請求項３】
請求項２に記載の放送受信装置において、新たに検出された複数の有局チャンネルの一覧を生成して画面に表示し、表示画面上での操作に基づいて選択された有局チャンネルを選局して受信映像を画面に表示し、前記一覧のなかから決定された有局チャンネルを消失したチャンネルに代えて前記対応情報を更新記憶するように構成したことを特徴とする放送受信装置。
【請求項４】
チャンネルサーチを実行して有局チャンネル情報を記憶する手段と、チャンネルとポジション番号との対応情報を記憶する手段と、チャンネルサーチ結果と前記対応情報とに基づきポジション番号に対応付けられていない有局チャンネルを判定する手段と、前記ポジション番号に対応付けられていない有局チャンネルの一覧を生成して画面に表示する手段と、表示画面上での操作に基づいて選択された有局チャンネルを選局して受信映像を画面に表示する手段と、ユーザ指示により前記対応情報を更新記憶する手段と、を備えたことを特徴とする放送受信装置。
【発明の詳細な説明】
【０００１】
【産業上の利用分野】
この発明は、地上波ディジタル放送及び地上波アナログ放送の両方を受信できる放送受信装置に関する。
【０００２】
【従来の技術】
地上波を用いたディジタル放送を受信するディジタル放送受信装置は、地上波用アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
そして、このようなディジタル放送を受信するディジタルチューナと共に、従来からの地上波アナログ放送を受信するアナログチューナも備えたディジタル・アナログ放送受信装置を構成することができる。
【０００４】
【発明が解決しようとする課題】
ところで、地上波ディジタル放送は、日本においては２００３年から放送を開始する予定となっている。地上波ディジタル放送に用いられるチャンネルはＵＨＦ（Ｕｌｔｒａ　Ｈｉｇｈ　Ｆｒｅｑｕｅｎｃｙ）帯であり、このＵＨＦ帯には従来の地上波アナログ放送と地上波ディジタル放送のチャンネルが混在することとなるが、地上波ディジタル放送に割り当てられるチャンネルは、地上波アナログ放送で使用されることが少ない１３〜３２ｃｈが中心となる予定である。
【０００５】
しかしながら、ある地域において地上波ディジタル放送用にチャンネルが配分できない場合には、地上波アナログ放送のチャンネルが変更される（この変更を以下アナ−アナ変換と称する）。例えば、地上波ディジタル放送が２０ｃｈを使用することになった場合、以前から２０ｃｈを使用していたＡ放送局の地上波アナログ放送は、例えば５０ｃｈに移動することになる。また、受信装置のポジション８に２０ｃｈが設定されている場合、同じポジションにおいて引き続きＡ放送局の番組を視聴するには、ポジション８に５０ｃｈを設定し直す必要がある。この設定を例えば業者（販売業者等）が各家庭を訪問して行うには、多大な費用や時間を費やすこととなる。もちろん、ユーザが自ら取り扱い説明書を参照して設定作業を行うこともできるが、設定作業は複雑であるため、作業不備による２次不良のおそれも予測される。
【０００６】
この発明は、上記の事情に鑑み、地上波ディジタル放送の導入に伴い地上波アナログ放送のチャンネルに変更が生じた場合でも、変更先のチャンネルをポジション番号に容易に設定することができる放送受信装置を提供することを目的とする。
【０００７】
【課題を解決するための手段】
この発明の放送受信装置は、上記の課題を解決するために、チャンネルサーチを実行して有局チャンネル情報を記憶する手段と、チャンネルとポジション番号との対応情報を記憶する手段と、前回及び今回の有局チャンネル情報の対比情報と前記対応情報とに基づき消失したチャンネル及び新たな有局チャンネルを判定する手段と、前記判定結果に基づいて又はユーザ指示により対応情報を更新記憶する手段と、を備えたことを特徴とする。
【０００８】
上記の構成であれば、地上波ディジタル放送の導入に伴ってアナ−アナ変換が行われた場合でも、前回及び今回の有局チャンネル情報の対比情報とポジションの対応情報とに基づき消失したチャンネル及び新たな有局チャンネルを判定するので、ポジション番号に変更先のチャンネルを設定することが可能となる。
【０００９】
新たな有局チャンネルを複数検出した場合、ユーザの指示に基づき、前記複数の有局チャンネルをそれぞれ入れ替えて前記対応情報を更新記憶するように構成してもよい。例えば、複数の有局チャンネルについてアナ−アナ変換が行われたことにより受信装置が新たな有局チャンネルを複数検出した場合に、所望のチャンネルとは別のチャンネルがポジション番号に設定されてしまったとしても、ユーザはポジション番号に設定された有局チャンネルの放送内容を確認して受信装置にチャンネル入替えを指示するだけよい。
【００１０】
また、新たに検出された複数の有局チャンネルの一覧を生成して画面に表示し、表示画面上での操作に基づいて選択された有局チャンネルを選局して受信映像を画面に表示し、前記一覧のなかから決定された有局チャンネルを消失したチャンネルに代えて前記対応情報を更新記憶するように構成してもよい。これによれば、複数のチャンネルについてアナーアナ変換が行われ、受信装置が新たな有局チャンネルを複数検出した場合でも、新たな有局チャンネルの一覧が表示されると共にそのなかで選択された有局チャンネルについての受信映像が画面表示されることになるので、ユーザは、一覧上の有局チャンネルについて放送内容を確認して所定の有局チャンネルを選択することができる。
【００１１】
また、この発明の放送受信装置は、チャンネルサーチを実行して有局チャンネル情報を記憶する手段と、チャンネルとポジション番号との対応情報を記憶する手段と、チャンネルサーチ結果と前記対応情報とに基づきポジション番号に対応付けられていない有局チャンネルを判定する手段と、前記ポジション番号に対応付けられていない有局チャンネルの一覧を生成して画面に表示する手段と、表示画面上での操作に基づいて選択された有局チャンネルを選局して受信映像を画面に表示する手段と、ユーザ指示により前記対応情報を更新記憶する手段と、を備えたことを特徴とする。
【００１２】
上記の構成であれば、例えば受信装置の購入後チャンネルサーチを一度も行わない状態で、アナ−アナ変換が実施されてしまった場合でも、その後のチャンネルサーチによってポジション番号に対応付けられていない有局チャンネルが判定されて一覧で画面に表示される。これにより、元々いずれのポジション番号にも設定していなかった有局チャンネル及び新たに発生した有局チャンネルの双方が一覧表示されることになり、これら一覧のチャンネルにおいて各チャンネルの受信放送内容を確認してユーザの判断で新たに発生した有局チャンネルを選択してポジションに設定することができる。
【００１３】
【発明の実施の形態】
以下、この発明の実施形態を図１乃至図７に基づいて説明するが、ここでは地上波ディジタル放送及び地上波アナログ放送を受信するディジタル・アナログ放送受信装置を用いることとする。
【００１４】
図１は地上波ディジタル放送と地上波アナログ放送を受信するこの実施形態の放送受信装置３０を示したブロック図であり、図２はアナ−アナ変換で一つの有局チャンネルが変更になった場合を想定した処理を示したフローチャートであり、図３は二つの有局チャンネルが変更になった場合を想定した処理を示したフローチャートであり、図４は有局チャンネル情報及び対応表の説明図であり、図５は事前にチャンネルサーチを行っていない場合の処理を示したフローチャートであり、図６は有局チャンネル情報及び対応表の説明図であり、図７はチャンネル選択画面を示した説明図である。
【００１５】
図１において、地上波アンテナ１は地上放送波を受信し、受信信号を地上波ディジタルチューナ２および地上波アナログチューナ４に与える。各チューナは、選局処理回路やミキサ（混合器）などを備えて成る。ミキサは希望チャンネルの信号と局部発振信号とを混合して中間周波数信号を生成する。局部発振信号を生成する回路は例えば印加電圧によって容量が変化する可変容量ダイオード等を備えて成り、ミキサから一定の中間周波数の信号が出力されるように、希望チャンネルの信号に対応させて可変した局部発振信号を生成する。選局処理回路は、各チャンネルに対応した印加電圧（同調電圧）のデータを第１メモリ１３や第２メモリ２２から受け取り、図示しないＤ／Ａ変換器によって上記データをアナログ信号化（電圧化）して可変容量ダイオードに与える。
【００１６】
地上波ディジタルチューナ２は、上述した選局処理により、映像・音声データを含む高周波ディジタル変調信号のうちから特定周波数の信号を取り出すことになる。また、地上波ディジタルチューナ２は、逆インタリーブ回路、誤り訂正回路、復調回路などを備えることにより、選択したディジタル変調信号を復調してトランスポート・ストリームを出力する。
【００１７】
デマルチプレクサ（ＤＥＭＵＸ）６は、地上波ディジタルチューナ２から受け取ったトランスポート・ストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、およびＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）に分離復号する。デマルチプレクサ６は、ビデオストリームとオーディオストリームをＡＶデコーダ７に供給し、ＰＳＩ／ＳＩに含まれるサービス情報をメインＣＰＵ１８に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。
【００１８】
ＡＶデコーダ７は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路８に出力され、音声データは音声処理回路９に出力される。
【００１９】
映像処理回路８はＡＶデコーダ７から映像データを受け取り、Ｄ／Ａ変換を行って映像信号を生成する。音声処理回路９はＡＶデコーダ７から出力された音声データを受け取り、Ｄ／Ａ変換を行ってアナログ音声信号を生成する。
【００２０】
映像音声処理部５は、地上波アナログチューナ４から供給された受信信号を復調して映像信号及び音声信号を生成する。
【００２１】
ＯＳＤ（オンスクリーンディスプレイ）回路１５は、メインＣＰＵ１８から出力指示された文字情報に基づくビットマップデータに基づく映像信号を加算器１６又は加算器１７に出力する。加算器１６及び加算器１７は前記ビットマップデータを受信映像信号に組み込み、この映像信号をドライブ回路１０に供給する。ＯＳＤ回路１５により、メニュー画面や各種設定画面などの表示が行えることになる。
【００２２】
受像管１１はドライブ回路１０から供給された映像信号（Ｒ，Ｇ，Ｂ信号及び垂直・水平同期信号）により映像表示を行う。また、スピーカ１２は音声信号を入力して音声出力を行う。
【００２３】
メインＣＰＵ１８は、地上波ディジタルチューナ２に対する選局や有局チャンネルサーチ等の制御、第１メモリ（ＥＥＰＲＯＭ等）１３への有局チャンネル情報の書込／読出の制御、デマルチプレクサ６に対する制御、ＡＶデコーダ７に対する制御、ＯＳＤ回路１５に対する制御、サブＣＰＵ２１に対する指令などを行うようになっている。
【００２４】
リモコン送信機１９は、当該放送受信装置３０に指令を送出するための送信機である。このリモコン送信機１９に設けられた図示しないキーを操作すると、そのキーに対応した指令を意味する信号光（リモコン信号）が図示しない発光部から送出される。リモコン受光器２０は、前記信号光を受光し、これを電気信号に変換してサブＣＰＵ２１に与える。
【００２５】
サブＣＰＵ２１は、上記リモコン送信機１９によるリモートコントロール信号や図示しない操作部のキー操作による信号を入力してメインＣＰＵ１８に通知する処理等を行う他、地上波アナログ放送の有局チャンネルサーチ処理をも行うようになっている。このチャンネルサーチは、例えば、地上波アナログチューナ４の選局処理回路に対して徐々に同調電圧を上げていくようにデータを与え、検波後の映像信号に水平同期信号が一定値以上含まれるかどうか等によって有局を判定し、有局と判定したときには、チャンネル番号に対応させて前記データを第２メモリ（ＥＥＰＲＯＭ等）２２に格納する。
【００２６】
ユーザは、受信装置に対して通常は地域番号に基づき、あるいは個別設定操作によりチャンネル設定を行う。サブＣＰＵ２１は、チャンネル設定に基づき、チャンネルとポジション番号との対応表を生成して第２メモリ２２に記憶する。また、ユーザは、地上波アナログ放送のアナ−アナ変換が行われる以前に、例えばメニュー画面からチャンネルサーチの実行を指示することとする。これにより、サブＣＰＵ２１は地上波アナログ放送のチャンネルサーチを実行し、有局チャンネル情報を生成して第２メモリ２２に記憶する。
【００２７】
現在、ユーザにより設定されたチャンネルは、図４（ａ）に示す対応表Ａのとおりであるとする。ポジション１、ポジション３、ポジション８には、それぞれ４０ｃｈ、１３ｃｈ、２０ｃｈが対応付けられている。また、チャンネルサーチにより得られた有局チャンネル情報は、同図に示す有局チャンネル情報Ａのとおりであるとする。これにより、地上波アナログ放送は、１３ｃｈ、１５ｃｈ、２０ｃｈ、４０ｃｈで放送されていることがわかる。
【００２８】
図２は、一つの地上波アナログ放送のチャンネルがアナ−アナ変換された場合を想定した処理を示したフローチャートである。現在、図４（ａ）に示す有局チャンネル情報Ａ及び対応表Ａが第２メモリ２２に記憶されているとする。地上波ディジタル放送の導入により、地上波アナログ放送の２０ｃｈが５０ｃｈへアナ−アナ変換された場合、ユーザはリモコン送信機１９のポジション８を押下しても所望の番組を表示させることができない（ステップＳ１）。そこで、ユーザはリモコン送信機１９のキー（図示せず）を操作して、例えばメニュー画面を呼び出し、「地上波ディジタル放送導入に伴うチャンネル設定」の項目を選択する（ステップＳ２）。サブＣＰＵ２１は当該指令を受信し、ＵＨＦ帯の１３ｃｈから６２ｃｈまでのチャンネルについて地上波アナログ放送のチャンネルサーチを実行する（ステップＳ３）。この場合、１３ｃｈ、１５ｃｈ、４０ｃｈ、５０ｃｈが有局判定され、図４（ｂ）に示す有局チャンネル情報Ｂが生成される（ステップＳ４）。そしてサブＣＰＵ２１は、有局チャンネル情報Ａ及び有局チャンネル情報Ｂのチャンネル対比を行い、有局チャンネル情報Ｂには存在しなくなった２０ｃｈをアナ−アナ変換により消失したチャンネルであると判定し、また有局チャンネル情報Ｂにだけ存在する５０ｃｈを新たに発生した有局チャンネルであると判定する（ステップＳ５）。また対応表Ａにおいて、消失した２０ｃｈが設定されていたポジション８を検出し（ステップＳ６）、ポジション８に５０ｃｈを対応させるように対応表Ａを図４（ｂ）の対応表Ｂのごとく更新する（ステップＳ７）。なお、リモコン送信機１９のポジション８を押下した時において行われた処理であることが装置側で認識できるから、ステップＳ６を省いた処理とすることも可能である。
【００２９】
上記の処理により、ポジション８には５０ｃｈが対応付けられるので、ユーザはリモコン送信機１９のポジション８を押下すれば、アナ−アナ変換実施前と同じ放送を視聴することができるようになる。
【００３０】
図３は、２つの地上波アナログ放送のチャンネルがアナ−アナ変換された場合の処理を示したフローチャートである。現在、図４（ａ）に示す有局チャンネル情報Ａ及び対応表Ａが第２メモリ２２に記憶されているとする。地上波ディジタル放送の導入により、地上波アナログ放送の１３ｃｈが６０ｃｈへ、２０ｃｈが５０ｃｈへと２つのチャンネルがアナ−アナ変換されたとする。この場合、ユーザはリモコン送信機１９のポジション３を押下しても所望の番組を表示させることができない（ステップＳ１１）。そこで、ユーザはメニュー画面に設けられた「地上波ディジタル放送導入に伴うチャンネル設定」の項目を選択する（ステップＳ１２）。サブＣＰＵ２１は当該指令を受信し、ＵＨＦ帯の１３ｃｈから６２ｃｈまでのチャンネルについて地上波アナログ放送のチャンネルサーチを実行する（ステップＳ１３）。サブＣＰＵ２１は１５ｃｈ、４０ｃｈ、５０ｃｈ、６０ｃｈを有局判定し、図４（ｃ）に示す有局チャンネル情報Ｃを生成する（ステップＳ１４）。そしてサブＣＰＵ２１は、有局チャンネル情報Ａ及び有局チャンネル情報Ｃのチャンネル対比を行い、有局チャンネル情報Ｂにおいて存在しなくなった１３ｃｈ及び２０ｃｈをアナ−アナ変換により消失したチャンネルであると判定し、また有局チャンネル情報Ｂにだけ存在する５０ｃｈ及び６０ｃｈを新たに発生した有局チャンネルであると判定する（ステップＳ１５）。そして、対応表Ａを参照して消失した１３ｃｈ及び２０ｃｈが設定されていたポジション３、ポジション８を検出し（ステップＳ１６）、例えばポジション３に新たに発生した一方の５０ｃｈを対応させるように対応表Ａを同図（ｃ）に示す対応表Ｃ１のごとく更新する（ステップＳ１７）。
【００３１】
更に、ユーザはリモコン送信機１９のポジション８を押下し（ステップＳ１８）、メニュー画面に設けられた「地上波ディジタル放送導入に伴うチャンネル設定」の項目を選択する（ステップＳ１９）。サブＣＰＵ２１は当該指令を受信し、ポジション８にもう一つの６０ｃｈを対応させるように対応表Ｃ１を同図（ｃ）に示す対応表Ｃ２のごとく更新する（ステップＳ２０）。
【００３２】
そして、サブＣＰＵ２１は、例えばメインＣＰＵ１８に「放送内容確認　ＯＫ／ＮＧ」といったメッセージの表示を指示する。メインＣＰＵ１８は、メッセージを生成してＯＳＤ回路１５によりメッセージ画面を表示させる。ユーザは、ポジション３及びポジション８の放送内容を確認し、それぞれのポジション番号において設定されたチャンネルが望みのチャンネルでない場合には、リモコン送信機１９の左右キーを用いて「ＮＧ」を選択する（ステップＳ２１）。サブＣＰＵ２１は当該指令を受信し、ポジション３に６０ｃｈを、ポジション８には５０ｃｈを、それぞれ入替えて設定するように対応表Ｃ２を対応表Ｃ３のごとく更新する（ステップＳ２２）。
【００３３】
上述の例では、２つのチャンネルが変更された場合の処理を説明したが、それ以上のチャンネルに変更が生じた場合においても、同様に確認メッセージを表示してユーザに選択を促し、設定対象となる有局チャンネルを順次入替えて設定することができる。また、上記の説明においては、ユーザからの「地上波ディジタル放送導入に伴うチャンネル設定」指令を受けると、ポジション番号に任意の有局チャンネルを自動的に設定する構成としたが、新たに有局判定されたチャンネルの一覧を生成して画面に表示し、この一覧のなかで選択されたチャンネルの放送受信映像を表示するようにし、ユーザによる決定操作によって対応表を更新するようにしてもよい。
【００３４】
図５は、チャンネルサーチを一度も行っていない状態で、アナ−アナ変換が実施された場合の処理を示したフローチャートである。現在、図６（ａ）に示す対応表Ｄが第２メモリ２２に記憶されているが、チャンネルサーチに基づく有局チャンネル情報は存在しない。例えば、アナ−アナ変換により、ポジション８に対応付けられた２０ｃｈが５０ｃｈで放送されることになった場合、ユーザはリモコン送信機１９のポジション８を押下しても所望の番組を表示させることができない（ステップＳ３１）。ユーザは、メニュー画面に設けられた「地上波ディジタル放送導入に伴うチャンネル設定」の項目を選択する（ステップＳ３２）。サブＣＰＵ２１はＵＨＦ帯の１３ｃｈから６２ｃｈまでのチャンネルについて地上波アナログ放送のチャンネルサーチを実行し（ステップＳ３３）、例えば１３ｃｈ、１５ｃｈ、４０ｃｈ、５０ｃｈを有局判定する。サブＣＰＵ２１は、このチャンネルサーチ結果及び対応表Ｄとの対比により、チャンネルサーチ結果にだけ存在する１５ｃｈ及び５０ｃｈをアナ−アナ変換候補チャンネルとして検出する（ステップＳ３４）。アナ−アナ変換候補チャンネルには、元々いずれのポジション番号にも設定していなかった有局チャンネル及び新たに発生した有局チャンネルの双方が含まれる。また、サブＣＰＵ２１は、対応表Ｄを参照して消失した２０ｃｈが設定されていたポジション８を検出する（ステップＳ３５）。そして、アナ−アナ変換候補チャンネルである１５ｃｈ及び５０ｃｈの情報をメインＣＰＵ１８に送信する。メインＣＰＵ１８は、受け取った情報をもとにアナ−アナ変換候補一覧を生成して画面表示する（ステップＳ３６）。なお、リモコン送信機１９のポジション８を押下した時において行われた処理であることが装置側で認識できるから、ステップＳ３５を省いた処理とすることも可能である。
【００３５】
図７は、チャンネル選択画面を例示した説明図である。ここで、ユーザはリモコン送信機１９の上下キー（図示せず）を操作して、例えば画面上の「１５ｃｈ」にカーソルを乗せ選択する。サブＣＰＵ２１は当該指令を受信し、地上波アナログチューナ４へ１５ｃｈの選局を指示して、画面に放送を表示する（ステップＳ３７）。例えば図７のごとく表示された１５ｃｈの放送内容を確認したユーザは、所望の番組ではないので（ステップＳ３８でＮＯ）、下キーを押下して、「５０ｃｈ」にカーソルを乗せて選択する（ステップＳ３７）。画面に表示された放送内容を確認したユーザは、表示された番組が所望の番組であるので、リモコン送信機１９の決定キーを押下する（ステップＳ３８でＹＥＳ）。サブＣＰＵ２１は当該指令を受信し、ポジション８に５０ｃｈを対応させるように対応表Ｄを同図（ｂ）に示す対応表Ｅのとおりに更新する（ステップＳ３９）。そして、サブＣＰＵ２１は、同図（ｂ）の有局チャンネル情報Ｅに示すとおり、チャンネルサーチの結果を有局チャンネル情報として記憶する（ステップＳ４０）。
【００３６】
【発明の効果】
以上説明したように、この発明によれば、地上波ディジタル放送の導入に伴い地上波アナログ放送のチャンネルに変更が生じた場合でも、変更先のチャンネルをポジション番号に容易に設定することができるという効果を奏する。
【図面の簡単な説明】
【図１】この発明の実施形態のディジタル・アナログ放送受信装置を示したブロック図である。
【図２】事前にチャンネルサーチを行っており、アナ−アナ変換において一つの有局チャンネルが変更になった場合の処理を示したフローチャートである。
【図３】事前にチャンネルサーチを行っており、アナ−アナ変換において二つの有局チャンネルが変更になった場合の処理を示したフローチャートである。
【図４】有局チャンネル情報及び対応表の説明図である。
【図５】チャンネルサーチを事前に行っていない場合の処理を示したフローチャートである。
【図６】有局チャンネル情報及び対応表の説明図である。
【図７】チャンネル選択画面を示した説明図である。
【符号の説明】
１　　アンテナ
２　　地上波ディジタルチューナ
４　　地上波アナログチューナ
５　　アナログ映像音声処理部
６　　デマルチプレクサ（ＤＥＭＵＸ）
７　　ＡＶデコーダ
１５　ＯＳＤ回路
１６　加算器
１７　加算器
１８　メインＣＰＵ
２１　サブＣＰＵ
２２　第２メモリ
【図１】
2004015076.tif 000003
【図２】
2004015076.tif 000004
【図３】
2004015076.tif 000005
【図４】
2004015076.tif 000006
【図５】
2004015076.tif 000007
【図６】
2004015076.tif 000008
【図７】
2004015076.tif 000009